(57)【要約】  Ｗｅｂページの任意の領域のみを主画面上の任意の位置に任意のサイズで表示することができる映像表示装置。  互いに異なる映像を合成し、単一の合成映像を生成する映像表示装置において、ネットワークを介してＷｅｂページを取得するＷｅｂページ取得手段と、Ｗｅｂページを画像データに変換するデータ変換手段と、画像データに変換されたＷｅｂページから指定領域を抽出する抽出手段と、指定領域のＷｅｂページ画像を指定の表示サイズに設定する表示サイズ設定手段と、指定領域のＷｅｂページ画像の表示位置を設定する表示位置設定手段と、を含み、映像信号合成手段は、指定表示サイズ設定および前記表示位置に基づき合成映像信号を生成する。
2007111330.tif 000002
【特許請求の範囲】
【請求項１】
第１の映像信号を生成する第１映像信号生成手段と、前記第１の映像信号とは異なる第２の映像信号を生成する第２映像信号生成手段と、前記第１の映像信号と前記第２の映像信号を合成し、単一の合成映像信号を生成する映像信号合成手段と、前記第１の映像信号と前記第２の映像信号と前記合成映像信号のいずれかを再生表示する表示手段と、を含む映像表示装置であって、
前記第２映像信号生成手段は、
ネットワークに接続され、前記ネットワークを介してＷｅｂページを取得するＷｅｂペ
ージ取得手段と、
前記Ｗｅｂページを画像データに変換するデータ変換手段と、
画像データに変換されたＷｅｂページから指定領域を抽出する抽出手段と、
前記指定領域のＷｅｂページ画像を指定の表示サイズに設定する表示サイズ設定手段と、
前記指定領域のＷｅｂページ画像の表示位置を設定する表示位置設定手段と、を含み、
前記映像信号合成手段は、前記指定表示サイズ設定および前記表示位置設定に基づき合成映像信号を生成することを特徴とする映像表示装置。
【請求項２】
前記映像信号合成手段は、前記第１の映像信号に基づく第１の映像の上に、前記第２の映像信号に基づく第２の映像を重ねて表示する合成処理を行うことを特徴とする請求項１に記載の映像表示装置。
【請求項３】
前記第１の映像信号は、テレビジョン映像信号であることを特徴とする請求項１又は２に記載の映像表示装置。
【請求項４】
前記Ｗｅｂページ取得手段により取得したＷｅｂページの表示情報を保持する記憶手段と、
所定期間毎に前記Ｗｅｂページの供給元から新たなＷｅｂページを取得するページ更新取得手段と、
前記記憶手段に保持された前記Ｗｅｂページの表示情報と、前記新たなＷｅｂページの表示情報を比較して前記Ｗｅｂページの更新の有無を判断する比較手段と、
前記比較手段が更新有りと判断したときに、前記更新を報知する更新報知手段と、
をさらに含むことを特徴とする請求項１乃至３のいずれか１に記載の映像表示装置。
【請求項５】
前記表示情報は、Ｗｅｂページの外観を示す画像データであり、  前記比較手段は、前記Ｗｅｂページの画像データを構成する画素データを比較して前記Ｗｅｂページの更新の有無を判断することを特徴とする請求項４に記載の映像表示装置。
【請求項６】
前記表示情報は、Ｗｅｂページを記述するＨＴＭＬのタグ情報であることを特徴とする請求項４に記載の映像表示装置。
【請求項７】
前記比較手段は、前記ＷｅｂページのＨＴＭＬ文書と前記新たなＷｅｂページのＨＴＭＬ文書とを比較し、タグの数、種類、順序、タグ内の文字列若しくは文字数のうちのいずれかに差異があることを検出したときに前記Ｗｅｂページが更新されたと判断することを特徴とする請求項６に記載の映像表示装置。
【請求項８】
前記比較手段により前記Ｗｅｂページが更新されたと判断され、且つ前記Ｗｅｂページと、前記新たなＷｅｂページのタグの数、種類、順序のうちのいずれかに差異があることが検出されたときに、前記指定領域を変更すべき表示を前記表示手段に表示する変更指示手段をさらに含むことを特徴とする請求項７に記載の映像表示装置。
【請求項９】
前記比較手段により前記Ｗｅｂページが更新されたと判断され、且つ前記Ｗｅｂページと、前記新たなＷｅｂページのタグの数、種類、順序のいずれにも差異がなく且つ前記タグ内の文字列若しくは文字数に差異があることが検出されたときに、前記新たなＷｅｂページから前記指定領域と同一部分を抽出し、更新映像信号を生成する更新映像信号生成手段をさらに含み、
前記映像信号合成手段は、前記更新映像信号と、前記第１の映像信号を合成し、新たな合成映像信号を生成することを特徴とする請求項７又は８に記載の映像表示装置。
【請求項１０】
第１の映像信号を生成する第１映像信号生成ステップと、前記第１の映像信号とは異なる第２の映像信号を生成する第２映像信号生成ステップと、前記第１の映像信号と前記第２の映像信号を合成し、単一の合成映像信号を生成する映像信号合成ステップと、前記第１の映像信号と前記第２の映像信号と前記合成映像信号のいずれかを再生表示する表示ステップと、を含む映像表示方法であって、
前記第２映像信号生成ステップは、
ネットワークを介してＷｅｂページを取得するＷｅｂページ取得ステップと、
前記Ｗｅｂページを画像データに変換するデータ変換ステップと、
画像データに変換されたＷｅｂページから指定領域を抽出する抽出ステップと、
前記指定領域のＷｅｂページ画像を指定の表示サイズに設定する表示サイズ設定ステップと、
前記指定領域のＷｅｂページ画像の表示位置を設定する表示位置設定ステップと、を含み、
前記映像信号合成ステップは、前記指定表示サイズ設定および前記表示位置設定に基づき合成映像信号を生成することを特徴とする映像表示方法。
【請求項１１】
前記映像信号合成ステップは、前記第１の映像信号に基づく第１の映像の上に、前記第２の映像信号に基づく第２の映像を重ねて表示する合成処理を行うことを特徴とする請求項１０に記載の映像表示方法。
【請求項１２】
前記第１の映像信号は、テレビジョン映像信号であることを特徴とする請求項１０又は１１に記載の映像表示方法。
【請求項１３】
前記Ｗｅｂページ取得ステップにより取得したＷｅｂページの表示情報を記憶手段に保持するステップと、
所定期間毎に前記Ｗｅｂページの供給元から新たなＷｅｂページを取得するステップと、
前記記憶手段に保持された前記Ｗｅｂページの表示情報と、前記新たなＷｅｂページの表示情報を比較して前記Ｗｅｂページの更新の有無を判断する比較ステップと、
前記比較ステップにおいて更新有りと判断したときに、前記更新を報知する更新報知ステップと、
をさらに含むことを特徴とする請求項１０乃至１２のいずれか１に記載の映像表示方法。
【請求項１４】
前記表示情報は、Ｗｅｂページの外観を示す画像データであり、
前記比較ステップは、前記Ｗｅｂページの画像データを構成する画素データを比較して前記Ｗｅｂページの更新の有無を判断することを特徴とする請求項１３に記載の映像表示方法。
【請求項１５】
前記表示情報は、Ｗｅｂページを記述するＨＴＭＬのタグ情報であることを特徴とする請求項１３に記載の映像表示方法。
【請求項１６】
前記比較ステップは、前記ＷｅｂページのＨＴＭＬ文書と前記新たなＷｅｂページのＨＴＭＬ文書を比較し、タグの数、種類、順序、タグ内の文字列の若しくは文字数のうちのいずれかに差異があることを検出したときに前記Ｗｅｂページが更新されたと判断することを特徴とする請求項１５に記載の映像表示方法。
【請求項１７】
前記比較ステップにおいて、前記Ｗｅｂページが更新されたと判断され、且つ前記Ｗｅｂページと、前記新たなＷｅｂページのタグの数、種類、順序のうちのいずれかに差異があることが検出されたときには、前記指定領域を変更すべき表示を行うステップをさらに含むことを特徴とする請求項１６に記載の映像表示方法。
【請求項１８】
前記比較ステップにおいて、前記Ｗｅｂページが更新されたと判断され、且つ前記Ｗｅｂページと、前記新たなＷｅｂページのタグの数、種類、順序のいずれにも差異がなく且つ前記タグ内の文字列若しくは文字数に差異があることが検出されたときには、前記新たなＷｅｂページから前記指定領域と同一部分を抽出し、更新映像信号生成し、前記更新映像信号と、前記第１の映像信号を合成し、新たな合成映像信号を生成することを特徴とする請求項１６又は１７に記載の映像表示方法。
【発明の詳細な説明】
【技術分野】
【０００１】
本発明は、テレビジョン映像等を表示する主映像とＷｅｂページの任意の部分の映像とを同時表示する映像表示装置および映像表示方法に関する。
【背景技術】
【０００２】
近年、テレビジョン受像機等の映像表示装置は、テレビジョン放送の映像を画面上に表示するのみならず、インターネット等のネットワークを介して受信したＷｅｂページを表示することができるものが知られている。また、これらのテレビジョン放送の映像と、Ｗｅｂページを画面上に並べて表示する２画面表示により、これらを同時に表示させることが可能となっている。これによりユーザはテレビ番組で放送された内容について、更に詳しい情報をインターネット上のＷｅｂページから取得したり、テレビ番組を視聴しながら、天気予報や、株価情報等のインターネット上に公開されているあらゆる情報を得ることができるのである。【０００３】
特開平１１−１３６５９３号公報（特許文献１）は、上記したテレビジョン放送の映像とインターネット上のＷｅｂページの画像を同時表示する手段について開示している。【０００４】
また特開２００３−３１９１７４号公報（特許文献２）および特表２００２−５２４７９１号公報（特許文献３）は、Ｗｅｂページの構成部分を抽出し文字列の一部を拡大する手段および、複数のＷｅｂページから指定した部分を抽出して単一の構成ファイルに再構成する手段について開示している。  
【特許文献１】特開平１１−１３６５９３号公報
【特許文献２】特開２００３−３１９１７４号公報
【特許文献３】特表２００２−５２４７９１号公報
【発明の開示】
【発明が解決しようとする課題】
【０００５】
インターネット上に公開されているＷｅｂページの多くは、複数の画像、文字、図表等から構成されるコンテンツ部分のみならす、広告を表示する部分や他のＷｅｂサイトへのリンク等も含まれており、ユーザは、必ずしもこれら全ての内容を必要としない場合がある。これら全ての内容を含むＷｅｂページをテレビジョン映像と同時に画面上に表示させることにより、所望の情報が小さく表示されることとなり、また、画面全体が煩雑であった。また、テレビ映像を表示する画面とＷｅｂページを表示する画面を左右に並べて同時表示させることにより、双方の画像が縮小表示されることとなり見難いといった問題があった。【０００６】
また、特許文献２および特許文献３においてＷｅｂページの構成部分から一部分を抽出する手段が記載されているが、いずれも抽出可能な単位は、予め設定された構成要素すなわち、ＨＴＭＬ文書のタグ単位で抽出を行うものであり、この場合においても不要な部分が含まれる場合があった。【０００７】
本発明は、上記した点に鑑みてなされたものであり、Ｗｅｂページの任意の領域のみを主画面と同時に任意の位置に任意のサイズで表示することができる映像表示装置を提供することを目的とする。
【課題を解決するための手段】
【０００８】
本発明の映像表示装置は、第１の映像信号を生成する第１映像信号生成手段と、前記第１の映像信号とは異なる第２の映像信号を生成する第２映像信号生成手段と、前記第１の映像信号と前記第２の映像信号を合成し、単一の合成映像信号を生成する映像信号合成手段と、前記第１の映像信号と前記第２の映像信号と前記合成映像信号のいずれかを再生表示する表示手段と、を含む映像表示装置であって、前記第２映像信号生成手段は、ネットワークに接続され、前記ネットワークを介してＷｅｂページを取得するＷｅｂページ取得手段と、前記Ｗｅｂページを画像データに変換するデータ変換手段と、画像データに変換されたＷｅｂページから指定領域を抽出する抽出手段と、前記指定領域のＷｅｂページ画像を指定の表示サイズに設定する表示サイズ設定手段と、前記指定領域のＷｅｂページ画像の表示位置を設定する表示位置設定手段と、を含み、前記映像信号合成手段は、前記指定表示サイズ設定および前記表示位置設定に基づき合成映像信号を生成する。【０００９】
また、本発明の映像表示方法は、第１の映像信号を生成する第１映像信号生成ステップと、前記第１の映像信号とは異なる第２の映像信号を生成する第２映像信号生成ステップと、前記第１の映像信号と前記第２の映像信号を合成し、単一の合成映像信号を生成する映像信号合成ステップと、前記第１の映像信号と前記第２の映像信号と前記合成映像信号のいずれかを再生表示する表示ステップと、を含む映像表示方法であって、前記第２映像信号生成ステップは、ネットワークを介してＷｅｂページを取得するＷｅｂページ取得ステップと、前記Ｗｅｂページを画像データに変換するデータ変換ステップと、画像データに変換されたＷｅｂページから指定領域を抽出する抽出ステップと、前記指定領域のＷｅｂページ画像を指定の表示サイズに設定する表示サイズ設定ステップと、前記指定領域のＷｅｂページ画像の表示位置を設定する表示位置設定ステップと、を含み、前記映像信号合成ステップは、前記指定表示サイズ設定および前記表示位置設定に基づき合成映像信号を生成する。
【図面の簡単な説明】
【００１０】
【図１】図１は本発明の実施例である映像表示装置の概略構成図である。
【図２】図２は本発明の実施例であるＧＵＩを利用したＷｅｂページ指定画面の一例を示す図である。
【図３】図３は本発明の実施例であるＧＵＩを利用した表示領域指定画面の一例を示す図である。
【図４】図４は本発明の実施例であるＧＵＩを利用した表示設定画面の一例を示す図である。
【図５】図５は本発明の実施例である映像表示装置の動作を示すフローチャートである。
【図６】図６は本発明の実施例によるモニタに表示された合成映像の一例を示す図である。
【図７】図７は本発明の第２実施例である映像表示装置の概略構成図である。
【図８】図８は本発明の第２実施例である映像表示装置の動作を示すフローチャートである。
【図９】図９は本発明の第３実施例である映像表示装置の概略構成図である。
【図１０】図１０は本発明の第３実施例である映像表示装置の動作を示すフローチャートである。
【図１１】図１１は本発明の第３実施例である更新画像生成部の動作を示すフローチャートである。
【発明を実施するための最良の形態】
【００１１】
以下、本発明の実施例について図面を参照しつつ説明する。以下において説明する図において、実質的に同一又は等価な構成要素、部分には同一の参照符を付している。
【実施例１】
【００１２】
本発明の第１実施例について図１〜図６を参照して説明する。図１は、本発明の第１の実施例である映像表示装置の全体構成を示す図である。チューナ１１は、ユーザが操作入力部２１の操作により選局操作を行うと、指定されたチャンネルを選局し、アンテナ１０を介してそのチャンネルのテレビジョン電波を受信する。検波部１２は、受信されたテレビジョン電波信号（ＲＦ信号）を中間波信号に周波数変換した後、検波する。映像処理部１３は、検波された映像信号から輝度信号、色差信号、水平、垂直同期信号およびカラーバーストを分離し、復調回路（図示せず）によりＲＧＢ信号に復調する。復調された映像信号は映像合成部２５に供給される。【００１３】
操作入力手段２１は、ユーザが各種操作を行うためのものであり、テレビジョン放送の選局、閲覧したいＷｅｂページの指定、後述するモニタ２６の画面上に表示させるべきＷｅｂページの領域指定、表示位置指定、表示サイズ指定等を行うものである。操作入力手段２１は、例えばリモコンや、各種操作を行うためのアプリケーションソフト等により提供され、ユーザは、リモコン、マウス等のポインティングデバイス、キーボード（モニタ２６上に表示されたキーをリモコン等を使って入力するいわゆるソフトウェアキーボードも含む）等によりこれらの操作入力を行う。【００１４】
ネットワーク３０は、インターネット或いはローカルエリアネットワーク（ＬＡＮ）等のデータ通信可能なネットワークである。本実施例においては、ネットワーク３０はインターネットとして説明する。Ｗｅｂブラウザ２２は、Ｗｅｂページを閲覧するためのアプリケーションであり、ユーザが操作入力手段２１の操作により指定したＵＲＬに基づきインターネットからＨＴＭＬファイル等をダウンロードし、レイアウトを解析してＷｅｂページに含まれる文字、画像、図表等を表示、再生するものである。【００１５】
図２は、ユーザに所望のＷｅｂページを選択せしめるための操作入力手段２１としてのＧＵＩ（Graphical User Interface）を利用したＷｅｂページ指定画面１００の一例を示す図である。ユーザは閲覧したいＷｅｂページのＵＲＬをキーボード操作等によりＵＲＬ入力部１０１に入力し、移動ボタン１０２をクリックするか、登録済みＵＲＬ一覧１０３から所望のＵＲＬを選択することにより指定されたＷｅｂページがダウンロードされる。
また、登録ボタン１０４は、登録済みＵＲＬ一覧１０３に新たにＵＲＬを登録するためのものであり、削除ボタン１０５は登録済みＵＲＬ一覧１０３から不要となったＵＲＬを削除するためのものである。「次へ」ボタン１０６は、後述する画像抽出部２３の処理に移行するためのものである。終了ボタン１０７は、このＷｅｂページ指定画面を終了させるものである。【００１６】
画像抽出部２３は、Ｗｅｂブラウザ２２が取得したＷｅｂページをＨＴＭＬ形式からビットマップ等の画像ファイル形式にデータ変換し、Ｗｅｂページからユーザが指定した部分の領域の抽出を行う。この処理により抽出された部分が最終的にテレビジョン映像とともにモニタ２６に表示されることとなる。Ｗｅｂページの画像データへの変換処理がなされると、図３に示す如く、画像ファイルに変換されたＷｅｂページとともに、ユーザが表示領域を指定するための操作入力手段２１としてのＧＵＩを利用した表示領域指定画面２００がモニタ２６に表示される。ダウンロードしたＷｅｂページ１１０が例えば、画像領域１１１と、チャート領域１１２と、文字領域１１３により構成されているものとし、ユーザがこのＷｅｂページ１１０のうち画像領域１１１のみを表示させたい場合は、リモコン、マウス等のポインティングデバイスの操作より画面上のポインタで画像領域１１1の表示範囲を指定した後、領域指定ボタン１２１をクリックすると、当該指定範囲が抽出される。また、Ｗｅｂページの一部の領域に限らず、表示されたＷｅｂページ全体の領域を指定することも可能であり、この場合には、全体指定ボタン１２２をクリックすることによりＷｅｂページ１１０の全体の領域が抽出される。また、「次へ」ボタン１２３をクリックすると、後述する表示設定部２４の処理に移行する。終了ボタン１２４は、これらの処理を中断するためのものである。【００１７】
表示設定部２４は、画像抽出部２３の処理により抽出したＷｅｂページの一部又は全体の画像の表示形態の設定、表示サイズの設定およびモニタ２６上における表示位置の設定を行うものである。具体的には、図４に示す如く、画像抽出部２３の処理により抽出したＷｅｂページの指定領域１１１の画像が表示され、更にこの指定領域１１１について表示形態、表示サイズおよび表示位置を設定するための操作入力手段２１としてのＧＵＩを利用した表示設定画面３００がモニタ２６に表示される。【００１８】
表示サイズ設定ウィンドウ１３１は、抽出したＷｅｂページの画像１１１の表示サイズを設定するためのものであり、ウィンドウ１３１に拡大率を直接入力するかプルダウン
ニュー方式で表示される拡大率を選択することで、表示サイズが設定される。または、ポインティングデバイスの操作により抽出した画像１１０のコーナー部にポインタの位置を合わせ、ドラッグ操作を行うことで、表示サイズを変更することとしてもよい。【００１９】
移動カーソル１３２は、抽出した画像１１１をモニタ２６上の任意の位置に移動せしめるためのものであり、移動方向を示す矢印形状のボタンをクリックすることで、抽出した画像１１１を所望の位置に移動させることができる。または、ポインティングデバイスの操作により抽出した画像１１１にポインタの位置を合わせ、ドラッグ操作を行うことで表示位置を移動させることとしてもよい。【００２０】
チェックボックス１３３は、抽出した画像１１１の表示形態を選択するためのものであり、リモコン、マウス等でチェックボックスをクリックすることにより、「重ね表示」と「並列表示」のいずれかが選択されるようになっている。「重ね表示」とは、テレビジョン映像の画面上に抽出したＷｅｂページの画像を重ねて表示させる表示形態を示すものであり、「並列表示」とは、テレビジョン映像の画面と抽出したＷｅｂページの画像とを左右に並べて表示させる表示形態を示すものである。尚、「並列表示」を選択したとき上記した表示位置を設定する操作を行わないこととしてもよい。【００２１】
これらの設定が終了した後、完了ボタン１３５をクリックすることにより、表示設定が完了し、表示設定部２４は、Ｗｅｂページから抽出した画像の映像信号とともに、上記の処理により生成される表示サイズ、表示位置および表示形態を示す表示設定データを映像合成部２５に供給する。「戻る」ボタン１３４は、この表示設定の処理を中断して、上記した図３の表示領域指定画面２００に移行するためのものである。【００２２】
映像合成部２５は、映像処理部２５から供給されるテレビジョン放送の映像信号と、表示設定部２４から供給されるＷｅｂページの映像信号の合成処理を行う。この合成処理に際して、表示設定部２４から供給される表示設定データに基づいて合成処理が行われる。映像合成部２５の処理により合成された合成映像信号は、モニタ２６に供給される。【００２３】
モニタ２６は映像合成部２５から供給される合成映像信号を再生し、合成映像を表示する。【００２４】
次に上記した構成における映像表示装置の動作について図５に示すフローチャートを参照しつつ説明する。【００２５】
ユーザがリモコンボタン（図示せず）等の操作によりＷｅｂページの検索を開始すべき指示を映像表示装置に送信すると、モニタ２６上に図２に示す如きＷｅｂページ選択画面１００が表示される。ユーザがＵＲＬを直接入力するか、登録済みＵＲＬ一覧１０３から閲覧したいＷｅｂページのＵＲＬを選択すると、Ｗｅｂブラウザ２２がネットワーク３０を介して、ネットワーク上のＷｅｂサーバ（図示せず）から当該Ｗｅｂページをダウンロードする（ステップＳ０１）。【００２６】
次に画像抽出部２３は、ダウンロードした当該ＷｅｂページをＨＴＭＬ形式からビットマップ等の画像ファイル形式にデータ変換処理を行う（ステップＳ０２）。モニタ２６には、図３に示す如く、画像ファイルにデータ変換されたＷｅｂページの画像とともに表示領域指定画面２００が表示される。ユーザが表示領域指定画面２００の操作により、ダウンロードしたＷｅｂページのうちモニタ２６上に表示させる部分の領域指定操作を行うと、画像抽出部２３は、これに基づき当該部分の画像の抽出を行う（ステップＳ０３）。続いてユーザが表示領域指定画面２００の「次へ」ボタン１２３をクリックすると、画像処理部２３は抽出した部分の画像データを表示設定部２４に供給する。【００２７】
続いてモニタ２６には図４に示す表示設定画面３００が表示される。ユーザはこの表示設定画面３００において、「重ね表示」又は「並列表示」のいずれか一方を選択すると、表示設定部２４は、これに基づきステップＳ０３で抽出したＷｅｂページ画像の表示形態を示す表示形態設定データを生成する（ステップＳ０４）。【００２８】
続いてユーザが表示設定画面３００の操作により抽出したＷｅｂページ画像の拡大率を指定すると、表示設定部２４は、これに基づき抽出したＷｅｂページ画像の表示サイズを示す表示サイズ設定データを生成する（ステップＳ０５）。この際、モニタ２６上には指定サイズに拡大又は縮小されたＷｅｂページの抽出画像が表示されるので、ユーザは設定された画像のサイズがどの程度になるかを視認することができる。【００２９】
次に、ユーザが表示設定画面３００の操作により抽出したＷｅｂページ画像の表示位置を指定すると、表示設定部２４は、これに基づき抽出したＷｅｂページ画像の表示位置を示す表示位置設定データを生成する（ステップＳ０６）。ユーザはこの表示位置の設定操作の過程において、抽出した画像を実際に移動させ、これを見ながら表示位置を指定することができる。【００３０】
これらの表示設定が完了し、ユーザが表示設定画面３００の完了ボタン１３５をクリックすると、表示設定部２４は、抽出したＷｅｂページ画像の映像信号とともにステップＳ０４〜ステップＳ０６の処理により生成した表示形態設定データ、表示サイズ設定データ、表示位置設定データからなる表示設定データを映像合成部２５に供給する。【００３１】
次に、映像合成部２５は、表示設定データに基づき映像処理部２５から受信したテレビジョン放送の映像信号と、表示設定部２４から受信したＷｅｂページ画像の映像信号の合成処理を行い、合成映像信号を生成する（ステップＳ０７）。すなわち、映像合成部２５は、Ｗｅｂページから抽出した画像について指定された表示形態、表示サイズ、表示位置に表示するべくテレビジョン映像との合成処理を行う。映像合成部２５は、合成映像信号をモニタ２６に供給する。【００３２】
モニタ２６は、受信した合成映像信号を再生し、画面上に合成映像を表示する。これにより、モニタ２６の画面上には、テレビジョン映像とともに、Ｗｅｂページから抽出した画像が指定サイズおよび指定位置に表示される（ステップＳ０８）。【００３３】
図６は図４のＧＵＩ画面において「重ね表示」が選択された場合のモニタ２６上に出力された合成映像の画面の一例を示す図である。抽出されたＷｅｂページの画像１１１は、テレビジョン映像画面１４１（主画面）上に、表示設定部２４により設定された表示サイズおよび表示位置に表示される。【００３４】
以上の説明から明らかなように、本実施例の映像表示装置によれば、インターネット等のネットワークからダウンロードしたＷｅｂページから任意の領域を抽出して、これをテレビジョン映像などの主画面と同時に、任意のサイズで且つ任意の位置に表示させることができる。従って、Ｗｅｂページに掲載されている不要な部分は表示されずまた、その画像の大きさや、表示位置を自由に設定できる。また、ダウンロードされたＷｅｂページはＨＴＭＬ形式から、画像データに変換され、これにより、抽出可能な領域は、タグによる制約を受けることなく、自由に設定することができる。更にＧＵＩを利用して表示したい部分の抽出、表示サイズ、表示位置、表示形態を設定することができ、ユーザは、これらの設定において表示イメージを見ながら設定することができ、操作性に優れる。
【実施例２】
【００３５】
次に本発明の第２実施例について図７〜図８を参照して説明する。図７は本発明の第２実施例である映像表示装置の全体構成を示す図である。第２実施例は、第１実施例の構成に加え、モニタ２６の画面上に現在表示されているＷｅｂページ画像の供給元であるＷｅｂページが更新されたときに、その更新を検出し、更新があったことをユーザに報知する手段を含む構成となっている。以下において第１実施例とは異なる部分について説明する。【００３６】
メモリ３１は、モニタ２６の画面上に現在表示されているＷｅｂページ画像の供給元であるＷｅｂページのＵＲＬ情報を保持する。また、メモリ３１は、当該Ｗｅｂページを表示するための表示情報として、当該Ｗｅｂページを取得した際のＷｅｂページ全体の画像
データを保持する。すなわち、画像抽出部２３により画像データに変換されたＷｅｂページがメモリ３１に保持される。【００３７】
比較解析部３２は、所定期間（例えば１時間）毎にモニタ２６の画面上に現在表示されているＷｅｂページ画像の供給元であるＷｅｂページのダウンロード要求信号をＷｅｂブラウザ２２に送信する。この際、比較解析部３２は、メモリ３１に保持されている当該ＷｅｂページのＵＲＬ情報を読み込んで、これも同時にＷｅｂブラウザ２２に送信する。これに応じてＷｅｂブラウザ２２が所定期間毎にネットワーク３０を介して新たに当該Ｗｅｂページをダウンロードする。【００３８】
また、比較解析部３２は、メモリ３１から先に取得したＷｅｂページの表示情報である画像データを読み込んで、これと新たに取得したＷｅｂページの画像データとの比較を行い、Ｗｅｂページの内容が更新されたか否かの判断を行う。すなわち、更新の有無は、両者の画像データを構成する画素データすなわち、ビットデータレベルで一致しているか否かを判断することにより検知することができ、比較解析部３２は、両者の画像データが完全に一致しない場合には、Ｗｅｂページの更新があったものと判断し、更新報知部３３に向けて起動信号を送信する。【００３９】
更新報知部３３は、比較解析部３２から供給される起動信号を受信すると、Ｗｅｂページの更新があったことをユーザに報知する。具体的には、更新報知部３３は、モニタ２６の画面上における文字や記号や絵等の表示、モニタの外部に設けられたＬＥＤやサブディスプレイによる表示、およびスピーカやブザー等の音による報知等、ユーザの視覚や聴覚を通じて認識される手段により更新の報知を行う。【００４０】
次に上記した構成の第２実施例による映像表示装置が、Ｗｅｂページの更新を検出し、これを報知する動作について図８に示すフローチャートを参照しつつ説明する。ここで、初期状態として図５に示すフローチャートのステップＳ０１〜Ｓ０７の処理が完了し、モニタ２６の画面上にはユーザが指定したＷｅｂページから抽出した画像と、テレビジョン放送の映像が合成され、表示されているものとする。【００４１】
比較解析部３２は、メモリ３２から読み込んだＵＲＬ情報とともに、モニタ２６の画面上に現在表示されている画像の供給元であるＷｅｂページのダウンロード要求信号を所定期間（例えば１時間）毎にＷｅｂブラウザ２２に送信する。これを受信したＷｅｂブラウザ２２は、ネットワーク３０を介して当該Ｗｅｂページを新たにダウンロードし、これを画像データに変換する（ステップＳ１１）。【００４２】
続いて比較解析部３２は、メモリ３１に保持されている先に取得したＷｅｂページの画像データを読み込んで、これとステップＳ１１において新たに取得したＷｅｂページの画像データとの比較を行う（ステップＳ１２）。尚、先に取得したＷｅｂページの画像データは、当該Ｗｅｂページを画像データに変換した際、すなわち、図５のフローチャートのステップＳ０２の後にメモリ３１に保持される。【００４３】
比較解析部３２は、両者の画像データについて、画素データの比較を行い、これらが完全に一致するか否かによってＷｅｂページの更新の有無を判断する（ステップＳ１３）。【００４４】
比較解析部３２は、両者の画像データを比較した結果、これらの画像を構成する全ての画素データについて完全に一致していることを検知した場合、Ｗｅｂページは更新されていないものと判断し（ステップＳ１３  Ｎｏ）、現在の状態をそのまま保持する（ステップＳ１４）。【００４５】
一方、比較解析部３２は、両者の画像データを比較した結果、これらの画像を構成する全ての画素データについて完全に一致していないことを検知した場合、Ｗｅｂページは更新されたものと判断し（ステップＳ１３  Ｙｅｓ）、更新報知部３３に向けて起動信号を送信する。更新報知部３３は、この起動信号を受信するとモニタ２６の画面上に「Ｗｅｂページが更新されました。」等のメッセージ表示や、音声等によりユーザにＷｅｂページが更新されたことを報知する（ステップＳ１５）。【００４６】
以上の説明から明らかなように、第２実施例の映像表示装置によれば、モニタ２６の画面上に現在表示されている画像の供給元であるＷｅｂページの内容が更新された場合には、更新があったことをユーザに報知することができ、ユーザは、Ｗｅｂページの不定期な更新に対しても、迅速に対応することが可能となる。【００４７】
尚、上記した実施例においては、先に取得したＷｅｂページの画像と新たに取得したＷｅｂページの画像においてこれらの画像データを構成する画素データについて比較を行い、画素データが完全に一致するか否かによってＷｅｂページの更新の有無を判断することとしたが、これに限定されない。例えば、両者において画素データが一致している部分と一致していない部分の画素数を測定することにより、変化率を求めることができ、この変化率に応じてＷｅｂページに更新があったか否かを判断することとしてもよい。具体的には両者の画素データの変化率について閾値を設け、その閾値より高いか、低いかで更新があったか否かを判断することができ、例えば、画素データの変化率が１０％未満の時は、更新なしと判断し、変化率が１０％以上のときは更新ありと判断する。
【実施例３】
【００４８】
次に本発明の第３実施例について図９〜図１１を参照して説明する。図９は本発明の第３実施例である映像表示装置の全体構成を示す図である。第３実施例は、Ｗｅｂページの更新の有無をＨＴＭＬ文書を解析することにより検出し、更新があったことをユーザに報知するとともに、更新によるＷｅｂページの変化の状態に応じて所定の対応を行う手段を含む構成となっている。以下において第１実施例および第２実施例とは異なる部分について説明する。【００４９】
メモリ３１は、モニタ２６の画面上に現在表示されているＷｅｂページ画像の供給元であるＷｅｂページのＵＲＬ情報を保持する。またメモリ３１は、当該Ｗｅｂページに掲載されている文書、画像、ハイパーリンクおよびＷｅｂページの構造、レイアウト等、そのＷｅｂページを構成し、且つ表示するために必要な表示情報をＷｅｂブラウザ２２から取り込んで保持する。すなわち、Ｗｅｂページを記述するためのマークアップ言語としてＨＴＭＬやＸＨＴＭＬ等が挙げられ、メモリ３１は、表示情報として例えばＨＴＭＬ又はＸＨＴＭＬのタグ情報を保持する。【００５０】
さらに表示情報は、モニタ２６の画面上に現在表示されているＷｅｂページの抽出部分に対応するタグが当該表示情報中のどの部分に対応するかを示す抽出部分のタグ情報も含んでいる。かかる抽出部分のタグ情報は、モニタ２６の画面上に現在表示されている画像の表示処理の過程において、画像抽出部２３が表示領域の抽出処理を行った際に表示情報の付加情報としてメモリ３１に記録される。【００５１】
また、メモリ３１は、モニタ２６の画面上に現在表示されているＷｅｂページ画像の抽出部分のＷｅｂページ全体における位置および抽出領域を示す抽出位置データを画像抽出部２３から読み込んでこれを保持する。すなわち、抽出位置データは、当該Ｗｅｂページのどの部分をどの範囲に亘って抽出したのかを示すデータである。抽出した画像のＷｅｂページ全体における位置は、例えばＷｅｂページの所定位置を基準点とする座標で表すことができる。抽出領域はこの座標を用いて、抽出した画像領域の対角線上の２点の座標により表すことができ、これを抽出位置データとすることができる。【００５２】
また、メモリ３１は、モニタ２６の画面上に現在表示されているＷｅｂページの表示設定処理において、表示設定部２４が生成した表示サイズ設定データ、表示位置設定データおよび表示形態設定データからなる表示設定データを表示設定部２４から読み込んでこれらを保持する。【００５３】
比較解析部３２は、所定期間（例えば１時間）毎にモニタ２６の画面上に現在表示されているＷｅｂページ画像の供給元であるＷｅｂページのダウンロード要求信号をＷｅｂブラウザ２２に送信する。この際、比較解析部３２は、メモリ３１に保持されている当該ＷｅｂページのＵＲＬ情報を読み込んで、これも同時にＷｅｂブラウザ２２に送信する。これに応じてＷｅｂブラウザ２２が所定期間毎にネットワーク３０を介して新たに当該Ｗｅｂページをダウンロードする。【００５４】
また、比較解析部３２は、メモリ３１から先に取得したＷｅｂページの構造や内容等を示す表示情報を読み込んで、これと新たに取得したＷｅｂページの表示情報との比較を行い、Ｗｅｂページの内容が更新されたか否かの判断を行う。更新の有無は、両者のタグを解析し、Ｗｅｂページの構造、レイアウトおよびＷｅｂページに掲載されている文書、画像等について変化の有無を検知することで判断される。【００５５】
更に、比較解析部３２はＷｅｂページ更新によるＷｅｂページの構造や内容の変化の状態を解析し、その解析結果に応じた対応の選択を行う。具体的には、Ｗｅｂページの変化の状態に応じて、モニタ２６の画面上に現在表示されているＷｅｂページの画像について、１．そのままその画像の表示を保持する、２．表示部分の画像を更新された新たな内容に差し替える、３．Ｗｅｂページの抽出領域の再設定をすべき旨の通知を行う、のうちのいずれかの対応を選択する。【００５６】
以下に比較解析部３２がＷｅｂページの変化の状態を解析する方法とその解析結果に応じた上記１〜３の対応を選択する方法について説明する。以下に示す（ａ）〜（ｄ）はＷｅｂページの更新による変化の状態の類型を示すものであり、比較解析部３２は、その変化がこれらのうちのいずれに該当するかの解析を行う。【００５７】
（ａ）Ｗｅｂページの構造が同一であり、全てのタグの内容に変化がない場合、すなわちＷｅｂページが更新されていない場合。【００５８】
（ｂ）Ｗｅｂページの構造が同一であり、モニタ２６の画面上に現在表示されているＷｅｂページの抽出部分に対応するタグの内容に変化がないが、他の部分に変化がある場合。【００５９】
（ｃ）Ｗｅｂページの構造が同一であり、モニタ２６の画面上に現在表示されているＷｅｂページの抽出部分に対応するタグの内容に変化があった場合。【００６０】
（ｄ）Ｗｅｂページの構造に変化があった場合。【００６１】
上記したＷｅｂページの構造が同一であるか否かは、タグの種類、数、順序を比較することにより検出される。また、モニタ２６の画面上に現在表示されているＷｅｂページの抽出部分に対応するタグ情報は、表示情報の付加情報として、メモリ３１に保持されており、これとこれに対応する新たに取得されたＷｅｂページのタグの内容とが比較され、抽出部分に対応するタグの内容に変化があったか否かが検出される。【００６２】
続いて、比較解析部３２は、これら（ａ）〜（ｄ）の変化の状態の類型の解析結果に基づき、上記した１〜３の対応のうちのいずれかを選択する。【００６３】
変化の状態が（ａ）又は（ｂ）に該当する場合は、Ｗｅｂページの構造は変化しておらず、且つモニタ２６の画面上に現在表示されているＷｅｂページからの抽出部分については何ら変化を生じていないため、比較解析部３２は、そのままその画像の表示を保持する対応を選択する（上記１の対応）。但し（ｂ）に該当する場合においては、モニタ２６の画面上に現在表示されている抽出部分については変化がないものの、他の部分において変化が生じているため、比較解析部３２は更新報知部３３に向けて起動信号を送信する。【００６４】
一方（ｃ）に該当する場合は、モニタ２６の画面上に現在表示されているＷｅｂページからの抽出部分について、変化が生じているものの、Ｗｅｂページの構造は変化していない為、更新された新たなＷｅｂページにおいて当該抽出部分について追跡することが可能となる。この場合、比較解析部３２は、その抽出部分の画像を更新された新たな画像に差し替える処理を行う対応を選択する（上記２の対応）。（ｃ）に該当する場合、比較解析部３２は、更新報知部３３および更新画像生成部３４に向けて起動信号を送信する。【００６５】
一方（ｄ）に該当する場合は、Ｗｅｂページの構造が変化しているため、更新されたＷｅｂページにおいて、モニタ２６の画面上に現在表示されているＷｅｂページの抽出部分について追跡することができない。この場合、抽出領域の再設定をすべき指示を発する対応を選択する（上記３の対応）。（ｄ）に該当する場合、比較解析部３２は、更新報知部３３およびメッセージ送出部３５に向けて起動信号を送信する。【００６６】
更新報知部３３は、比較解析部３２によりＷｅｂページの更新があったことが検出された場合、すなわち上記した変化の状態の類型のうち（ｂ）、（ｃ）、（ｄ）に該当する場合に、比較解析部３２から供給される起動信号に基づき、Ｗｅｂページの更新があったことをユーザに報知する。具体的には、更新報知部３３は、モニタ２６の画面上における文字や記号や絵等の表示、モニタの外部に設けられたＬＥＤやサブディスプレイによる表示、およびスピーカやブザー等の音による報知等、ユーザの視覚や聴覚を通じて認識される手段により更新の報知を行う。【００６７】
更新画像生成部３４は、比較解析部３２が上記した変化の状態の類型のうち（ｃ）に該当すると判断した場合、すなわち、Ｗｅｂページの構造が同一であり、モニタ２６の画面上に現在表示されているＷｅｂページの抽出部分に対応するタグの内容に変化があった場合、比較解析部３２から供給される起動信号に基づき、更新された新たなＷｅｂページを画像データに変換し、当該抽出部分に対応する部分を抽出する。この抽出処理において、更新画像生成部３４は、メモリ３１に保持されている抽出位置データを読み込み、これに基づき新たなＷｅｂページ画像について抽出処理を行う。すなわち、更新画像生成部３４は、モニタ２６の画面上に現在表示されているＷｅｂページ画像の抽出部分と同一の位置および範囲の画像を抽出し、更新映像信号を生成する。更に、更新画像生成部３４は、メモリ３１に保持されている表示設定データを読み込み、これに基づき新たなＷｅｂページ画像について表示設定を行う。すなわち、更新画像生成部３４は、モニタ２６の画面上に現在表示されているＷｅｂページ画像の表示サイズ、表示位置、表示形態と同一の表示設定を行い、これに基づき表示設定データを生成する。更新画像生成部３４は上記した更新映像信号と、表示設定データを映像合成部２５に送信する。【００６８】
メッセージ送出部３５は、比較解析部３２が上記した変化の状態の類型のうち（ｄ）に該当すると判断した場合、すなわち、Ｗｅｂページの構造に変化があった場合、比較解析部３２から供給される起動信号に基づき、Ｗｅｂページの画像の抽出領域を再設定すべきメッセージデータをモニタ２６に出力する。これにより、モニタ２６にはＷｅｂ画像の抽出範囲を再設定すべきメッセージが表示される。【００６９】
次に上記した構成の第３実施例による映像表示装置が、Ｗｅｂページの更新を検出して更新による変化の状態に応じた対応を行う動作について図１０に示すフローチャートを参照しつつ説明する。ここで、初期状態として図５に示すフローチャートのステップＳ０１〜Ｓ０７の処理が完了し、モニタ２６の画面上にはユーザが指定したＷｅｂページから抽出した画像と、テレビジョン放送の映像が合成され、表示されているものとする。【００７０】
比較解析部３２は、メモリ３２から読み込んだＵＲＬ情報とともに、モニタ２６の画面上に現在表示されている画像の供給元であるＷｅｂページのダウンロード要求信号を所定期間（例えば１時間）毎にＷｅｂブラウザ２２に送信する。これを受信したＷｅｂブラウザ２２は、ネットワーク３０を介して当該Ｗｅｂページを新たにダウンロードする（ステップＳ２１）。【００７１】
続いて比較解析部３２は、メモリ３１に保持されている先に取得したＷｅｂページの構造や内容等を示す表示情報を読み込んで、これとステップＳ２１において新たに取得したＷｅｂページの表示情報との比較を行う（ステップＳ２２）。具体的には両者のタグの比較がなされる。尚、先に取得したＷｅｂページの表示情報は、当該Ｗｅｂページをダウンロードした際、すなわち、図５のフローチャートのステップＳ０１の後にメモリ３１に保持する。【００７２】
比較解析部３２は、タグの数、種類、順序および文書や画像の内容等を比較し、これらのうちのいずれかに変化が生じているか否かを検知して当該Ｗｅｂページの更新の有無を判断する（ステップＳ２３）。【００７３】
比較解析部３２は、タグの数、種類、順序、タグ内の文字列若しくは文字数のいずれにも変化が生じていないと判断した場合、Ｗｅｂページは更新されていないものと判断し（ステップＳ２３  Ｎｏ）、モニタ２６の画面上に現在表示されているＷｅｂページの画像はそのまま表示される（ステップＳ２９）。【００７４】
一方、比較解析部３２は、タグの数や、種類、順序、タグ内の文字列の若しくは文字数のいずれかに変化が生じていることを検出すると、Ｗｅｂページが更新されたものと判断し（ステップＳ２３  Ｙｅｓ）、更新報知部３３に起動信号を送信する。更新報知部３３は、これに応じてモニタ２６の画面上に「Ｗｅｂページが更新されました。」等のメッセージ表示や、音声等によりユーザにＷｅｂページが更新されたことを報知する（ステップＳ２４）。【００７５】
続いて、比較解析部３２は、Ｗｅｂページが更新されたものと判断した場合には、更にＷｅｂページの構造に変化があったか否かの判断を行う（ステップＳ２５）。Ｗｅｂページの構造は、両者のタグの種類、数、順序を比較し、これらのうちのいずれかが変化しているときに、構造が変化しているものと判断され、これらのうちいずれも変化していないときは構造が変化していないものと判断される。【００７６】
比較解析部３２は、更新によりＷｅｂページの構造が変化したものと判断すると（ステップＳ２５  Ｙｅｓ）、メッセージ送出部３５に起動信号を送信する。メッセージ送出部３５は、これに応じて、Ｗｅｂページの画像の抽出範囲を再設定すべきメッセージデータをモニタ２６に送信すると、モニタ２６の画面上には「Ｗｅｂ画像の表示範囲を再設定してください。」等のメッセージが表示される（ステップＳ２６）。【００７７】
一方、比較解析部３２は、更新によりＷｅｂページの構造が変化していないと判断すると（ステップＳ２５  Ｎｏ）、メモリ３１からモニタ２６の画面上に現在表示されているＷｅｂページの抽出部分に対応するタグ情報を読み込み、これとこれに対応する新たに取得したＷｅｂページにおけるタグ内の文字列や文字数の比較を行い、タグの内容に変化が生じているか否かの判断を行う（ステップＳ２７）。【００７８】
上記したステップＳ２７の処理内容を具体的に説明すると、モニタ２６の画面上には、Ｗｅｂページから抽出した特定画像が表示されているものとする。メモリ３１には、抽出部分のタグ情報として、その画像の画像ファイル「picture１.gif」の表示を示すタグ<img src=" picture１.gif" >  が保持されている。比較解析部３２は、抽出部分のタグ情報をメモリ３１から読み込み、これとこれに対応する新たに取得したＷｅｂページにおけるタグとの比較を行う。例えば、新たに取得したＷｅｂページにおいてその画像が更新され、タグの内容が例えば<img src=" picture２.gif" >となった場合、メモリ３１に保持されている内容から変化が生じていることが検出され、比較解析部３２は、タグの内容に変化が生じたと判断する。【００７９】
比較解析部３２は、ステップＳ２７の処理によりタグの内容に変化が生じているものと判断すると（ステップＳ２７  Ｙｅｓ）、更新画像生成部３４に起動信号を送信する。更新画像生成部３４は、これに応じて、ステップＳ２１で新たにダウンロードしたＷｅｂページを画像データに変換し、抽出領域、表示サイズ、表示位置、表示形態の設定を行い、更新映像信号および表示設定データを生成し、これを映像合成部２５に送信する。ここで、表示サイズ、表示位置、表示形態は、モニタ２６の画面上に現在表示されている状態と同一の状態に設定される。映像合成部２５は、これまで表示していたＷｅｂページの画像に変えて、この更新映像信号と、テレビジョン放送の映像信号を合成し、新たな合成映像信号を生成し、これをモニタ２６に送信する。モニタ２６は合成映像信号を再生し、画面上には更新されたＷｅｂ画像とテレビジョン放送の映像が同時に表示される（ステップＳ２８）。【００８０】
一方、比較解析部３２は、ステップＳ２７の処理によりタグの内容に変化が生じていないものと判断すると（ステップＳ２７  Ｎｏ）、モニタ２６の画面上に現在表示されているＷｅｂページの画像はそのまま表示される（ステップＳ２９）。【００８１】
続いて以下に、図１０のフローチャートのステップＳ２８の処理において更新画像生成部３４が行う処理について図１１のフローチャートを参照しつつ説明する。【００８２】
更新画像生成部３４は、比較解析部３２から送信される起動信号に応じて、Ｗｅｂブラウザ２２から更新された新たなＷｅｂページを取得する（ステップＳ３１）。【００８３】
次に、更新画像生成部３４は、ステップＳ３１で取得した新たなＷｅｂページをＨＴＭＬ形式からビットマップ等の画像ファイル形式にデータ変換処理を行う（ステップＳ３２）。【００８４】
次に、更新画像生成部３４は、メモリ３１から抽出位置データの読み込みを行い、更新された新たなＷｅｂページについて、抽出位置データに基づき、抽出領域の指定を行い、更新映像信号を生成する（ステップＳ３３）。すなわち、この処理により更新後のＷｅｂページから抽出される部分の位置および範囲は、更新前のＷｅｂページ画像の抽出部分の位置および範囲と座標レベルで同一となる。尚、抽出位置データは、モニタ２６の画面上に現在表示されている画像の処理過程において、画像抽出部２３が表示領域の抽出を行った際、すなわち、図５のフローチャートのステップＳ０３の後にメモリ３１に保持される。【００８５】
次に、更新画像生成部３４は、メモリ３１からモニタ２６の画面上に現在表示されている画像の表示サイズ設定データ、表示位置設定データおよび表示形態設定データからなる表示設定データの読み込みを行い、新たなＷｅｂページの抽出部分について、当該表示設定データに基づき、表示サイズ、表示位置、および表示形態の設定を行い、表示設定データを生成する（ステップＳ３４）。すなわち、この処理により、モニタ２６の画面上に現在表示されている画像の表示サイズ、表示位置、表示形態はそのままの状態が保持されることとなる。尚、表示設定データは、モニタ２６の画面上に現在表示されている画像の処理過程において、表示設定部２４の表示設定が完了した際、すなわち、図５のフローチャートのステップＳ０６の後にメモリ３１に保持される。【００８６】
上記の処理により更新映像信号および表示設定データが生成され、更新画像生成部３４はこれを映像合成部２５に供給する（ステップＳ３５）。【００８７】
映像合成部２５は、表示設定データに基づき、これまで表示していた画像に変えて、この更新映像信号と、テレビジョン放送の映像信号の合成処理を行い、新たな合成映像信号を生成し、これをモニタ２６に送信する。モニタ２６は新たな合成映像信号を再生表示する。【００８８】
以上の説明から明らかなように、第３実施例の映像表示装置によれば、モニタ２６の画面上に現在表示されている画像の供給元であるＷｅｂページの内容が更新された場合には、更新があったことをユーザに報知することができる。さらに、その更新によるＷｅｂページの変化の状態に応じた、対応がなされるため、Ｗｅｂページの更新に伴うユーザの操作の負担を軽減することができる。すなわち、Ｗｅｂページが更新された場合であっても、モニタ２６の画面上に現在表示されている部分について変化がない場合には、現在の画像がそのまま表示されるので、ユーザは、何も操作する必要がない。また、Ｗｅｂページの構造に変化がなく、モニタ２６の画面上に現在表示されている部分について更新があった場合には、その部分について、更新された画像に差し替え処理を行うので、この場合についても、ユーザは何も操作する必要がない。また、Ｗｅｂページの構造に変化があった場合は、表示領域を再設定すべきメッセージが画面上に表示されるので、ユーザは、このメッセージに基づき、対応することができる。【００８９】
また、第１実施例から第３実施例においては、主画面としてテレビジョン映像を例示したが、これに限定されず、例えば、主画面がＷｅｂページ画像であってもよい。
【図１】
2007111330.tif 000003
【図２】
2007111330.tif 000004
【図３】
2007111330.tif 000005
【図４】
2007111330.tif 000006
【図５】
2007111330.tif 000007
【図６】
2007111330.tif 000008
【図７】
2007111330.tif 000009
【図８】
2007111330.tif 000010
【図９】
2007111330.tif 000011
【図１０】
2007111330.tif 000012
【図１１】
2007111330.tif 000013
【手続補正書】
【提出日】平成20年4月7日(2008.4.7)
【手続補正１】
【補正対象書類名】特許請求の範囲
【補正対象項目名】全文
【補正方法】変更
【補正の内容】
【特許請求の範囲】
【請求項１】
第１の映像信号を生成する第１映像信号生成手段と、前記第１の映像信号とは異なる第２の映像信号を生成する第２映像信号生成手段と、前記第１の映像信号と前記第２の映像信号を合成し、単一の合成映像信号を生成する映像信号合成手段と、前記第１の映像信号と前記第２の映像信号と前記合成映像信号のいずれかを再生表示する表示手段と、を含む映像表示装置であって、
前記第２映像信号生成手段は、
ネットワークに接続され、前記ネットワークを介してＷｅｂページを取得するＷｅｂページ取得手段と、
前記Ｗｅｂページを画像データに変換するデータ変換手段と、
画像データに変換されたＷｅｂページから指定領域を抽出する抽出手段と、
前記指定領域のＷｅｂページ画像を指定の表示サイズに設定する表示サイズ設定手段と、
前記指定領域のＷｅｂページ画像の表示位置を設定する表示位置設定手段と、を含み、
前記映像信号合成手段は、前記指定表示サイズ設定および前記表示位置設定に基づき合成映像信号を生成することと、
前記第２映像信号生成手段は、
前記Ｗｅｂページ取得手段により取得したＷｅｂページの表示情報を保持する記憶手段と、
所定期間毎に前記Ｗｅｂページの供給元から新たなＷｅｂページを取得するページ更新取得手段と、
前記記憶手段に保持された前記Ｗｅｂページの表示情報と、前記新たなＷｅｂページの表示情報を比較して前記Ｗｅｂページの更新の有無を判断する比較手段と、
前記比較手段が更新有りと判断したときに、前記更新を報知する更新報知手段と、
を更に含むことを特徴とする映像表示装置。
【請求項２】
前記映像信号合成手段は、前記第１の映像信号に基づく第１の映像の上に、前記第２の映像信号に基づく第２の映像を重ねて表示する合成処理を行うことを特徴とする請求項１に記載の映像表示装置。
【請求項３】
前記第１の映像信号は、テレビジョン映像信号であることを特徴とする請求項１又は２に記載の映像表示装置。
【請求項４】
（削除）
【請求項５】
前記表示情報は、Ｗｅｂページの外観を示す画像データであり、前記比較手段は、前記Ｗｅｂページの画像データを構成する画素データを比較して前記Ｗｅｂページの更新の有無を判断することを特徴とする請求項１に記載の映像表示装置。
【請求項６】
前記表示情報は、Ｗｅｂページを記述するＨＴＭＬのタグ情報であることを特徴とする請求項１に記載の映像表示装置。
【請求項７】
前記比較手段は、前記ＷｅｂページのＨＴＭＬ文書と前記新たなＷｅｂページのＨＴＭＬ文書とを比較し、タグの数、種類、順序、タグ内の文字列若しくは文字数のうちのいずれかに差異があることを検出したときに前記Ｗｅｂページが更新されたと判断することを特徴とする請求項６に記載の映像表示装置。
【請求項８】
前記比較手段により前記Ｗｅｂページが更新されたと判断され、且つ前記Ｗｅｂページと、前記新たなＷｅｂページのタグの数、種類、順序のうちのいずれかに差異があることが検出されたときに、前記指定領域を変更すべき表示を前記表示手段に表示する変更指示手段をさらに含むことを特徴とする請求項７に記載の映像表示装置。
【請求項９】
前記比較手段により前記Ｗｅｂページが更新されたと判断され、且つ前記Ｗｅｂページと、前記新たなＷｅｂページのタグの数、種類、順序のいずれにも差異がなく且つ前記タグ内の文字列若しくは文字数に差異があることが検出されたときに、前記新たなＷｅｂページから前記指定領域と同一部分を抽出し、更新映像信号を生成する更新映像信号生成手段をさらに含み、
前記映像信号合成手段は、前記更新映像信号と、前記第１の映像信号を合成し、新たな合成映像信号を生成することを特徴とする請求項７又は８に記載の映像表示装置。
【請求項１０】
第１の映像信号を生成する第１映像信号生成ステップと、前記第１の映像信号とは異なる第２の映像信号を生成する第２映像信号生成ステップと、前記第１の映像信号と前記第２の映像信号を合成し、単一の合成映像信号を生成する映像信号合成ステップと、前記第１の映像信号と前記第２の映像信号と前記合成映像信号のいずれかを再生表示する表示ステップと、を含む映像表示方法であって、
前記第２映像信号生成ステップは、
ネットワークを介してＷｅｂページを取得するＷｅｂページ取得ステップと、
前記Ｗｅｂページを画像データに変換するデータ変換ステップと、
画像データに変換されたＷｅｂページから指定領域を抽出する抽出ステップと、
前記指定領域のＷｅｂページ画像を指定の表示サイズに設定する表示サイズ設定ステップと、
前記指定領域のＷｅｂページ画像の表示位置を設定する表示位置設定ステップと、を含み、
前記映像信号合成ステップは、前記指定表示サイズ設定および前記表示位置設定に基づき合成映像信号を生成することと、
前記第２映像信号生成ステップは、
前記Ｗｅｂページ取得ステップにより取得したＷｅｂページの表示情報を記憶手段に保持するステップと、
所定期間毎に前記Ｗｅｂページの供給元から新たなＷｅｂページを取得するステップと、
前記記憶手段に保持された前記Ｗｅｂページの表示情報と、前記新たなＷｅｂページの表示情報を比較して前記Ｗｅｂページの更新の有無を判断する比較ステップと、
前記比較ステップにおいて更新有りと判断したときに、前記更新を報知する更新報知ステップと、
を更に含むことを特徴とする映像表示方法。
【請求項１１】
前記映像信号合成ステップは、前記第１の映像信号に基づく第１の映像の上に、前記第２の映像信号に基づく第２の映像を重ねて表示する合成処理を行うことを特徴とする請求項１０に記載の映像表示方法。
【請求項１２】
前記第１の映像信号は、テレビジョン映像信号であることを特徴とする請求項１０又は１１に記載の映像表示方法。
【請求項１３】
（削除）
【請求項１４】
前記表示情報は、Ｗｅｂページの外観を示す画像データであり、
前記比較ステップは、前記Ｗｅｂページの画像データを構成する画素データを比較して前記Ｗｅｂページの更新の有無を判断することを特徴とする請求項１０に記載の映像表示方法。
【請求項１５】
前記表示情報は、Ｗｅｂページを記述するＨＴＭＬのタグ情報であることを特徴とする請求項１０に記載の映像表示方法。
【請求項１６】
前記比較ステップは、前記ＷｅｂページのＨＴＭＬ文書と前記新たなＷｅｂページのＨＴＭＬ文書を比較し、タグの数、種類、順序、タグ内の文字列の若しくは文字数のうちのいずれかに差異があることを検出したときに前記Ｗｅｂページが更新されたと判断することを特徴とする請求項１５に記載の映像表示方法。
【請求項１７】
前記比較ステップにおいて、前記Ｗｅｂページが更新されたと判断され、且つ前記Ｗｅｂページと、前記新たなＷｅｂページのタグの数、種類、順序のうちのいずれかに差異があることが検出されたときには、前記指定領域を変更すべき表示を行うステップをさらに含むことを特徴とする請求項１６に記載の映像表示方法。
【請求項１８】
前記比較ステップにおいて、前記Ｗｅｂページが更新されたと判断され、且つ前記Ｗｅｂページと、前記新たなＷｅｂページのタグの数、種類、順序のいずれにも差異がなく且つ前記タグ内の文字列若しくは文字数に差異があることが検出されたときには、前記新たなＷｅｂページから前記指定領域と同一部分を抽出し、更新映像信号生成し、前記更新映像信号と、前記第１の映像信号を合成し、新たな合成映像信号を生成することを特徴とする請求項１６又は１７に記載の映像表示方法。
【国際調査報告】
2007111330.tif 000014
2007111330.tif 000015